(57)【要約】【課題】情報源に自動アクセスして取得した情報の中に必要情報が埋もれてしまうことを回避する。【解決手段】時刻及び接続時間が設定されたタイマ手段５と、任意の指定文字列が入力される入力手段７と、タイマ手段５に設定されている前記時刻に自動発信され情報源から取得された情報を蓄積するデータ蓄積手段３と、データ蓄積手段３の蓄積情報内に前記指定文字列が含まれるか否かを検索する制御手段６と、前記指定文字列を含む情報を優先して表示する表示手段４とを備える。情報がユーザにとって必要であるか否かが自動判定され、必要情報が優先して表示手段４に表示されるため、ユーザが必要情報を見逃すことがなくなる。【選択図】　図１
2004096190.tif 000002
【特許請求の範囲】
【請求項１】
時刻及び接続時間が設定されたタイマ手段と、任意の指定文字列が入力される入力手段と、前記タイマ手段に設定されている前記時刻に自動発信され情報源から取得された情報を蓄積するデータ蓄積手段と、前記データ蓄積手段の蓄積情報内に前記指定文字列が含まれるか否かを検索する制御手段と、前記指定文字列を含む情報を優先して表示する表示手段とを備えたことを特徴とする電話装置。
【請求項２】
時刻及び接続時間が設定されたタイマ手段と、任意の指定文字列が入力される入力手段と、前記タイマ手段に設定されている前記時刻に自動発信され情報源から取得された情報を蓄積するデータ蓄積手段と、前記データ蓄積手段の蓄積情報内に前記指定文字列が含まれるか否かを検索する制御手段と、前記指定文字列を含む情報を自動印刷する印刷手段とを備えたことを特徴とする電話装置。
【発明の詳細な説明】
【０００１】
【発明の属する技術分野】
本発明は、電話回線に接続され、情報コンテンツを取得して表示する機能を有する電話装置に関する。
【０００２】
【従来の技術】
近年、電話装置を用いて文字情報や画像情報などを送受信することが行われている。この種の装置では、情報を取得したい時に自ら操作を行い、情報コンテンツに接続し、関心のある情報を取得した後、表示部に情報を表示し、また、取得した情報を確認する必要があれば、紙に印刷できる様になっている。
【０００３】
しかし、情報を取得するときにその都度、ユーザが電話装置の前に立ち、電話装置を手で操作しないと情報が取得できないのであれば、面倒である。このため、例えば特開平９―８３６４５号公報記載の様に、電話装置が設定時刻に自動発信して自動的に情報コンテンツにアクセスし、ユーザの不在中でも情報を取得することができるようになっている。
【０００４】
【発明が解決しようとする課題】
しかしながら、近年のようにインターネットが普及し、多種多様な情報源がインターネットに接続され、また、各情報源に含まれる情報量が膨大になってくると、電話装置が自動的に情報コンテンツにアクセスして取得する情報量も膨大な量となり、ユーザが本当に必要とする情報が取得情報中に埋もれてしまい、必要な情報を見過ごしてしまうという問題がある。
【０００５】
本発明の目的は、自動アクセスして取得した情報の中の必要情報を見落とすことがない電話装置を提供することにある。
【０００６】
【課題を解決するための手段】
上記目的を達成する電話装置は、時刻及び接続時間が設定されたタイマ手段と、任意の指定文字列が入力される入力手段と、前記タイマ手段に設定されている前記時刻に自動発信され情報源から取得された情報を蓄積するデータ蓄積手段と、前記データ蓄積手段の蓄積情報内に前記指定文字列が含まれるか否かを検索する制御手段と、前記指定文字列を含む情報を優先して表示する表示手段とを備えたことを特徴とする。
【０００７】
この構成により、ユーザが必要とする情報が優先して表示手段に表示されるため、自動アクセスして取得された情報量が膨大であっても、必要情報を見逃すことがなくなる。
【０００８】
上記目的を達成する電話装置は、時刻及び接続時間が設定されたタイマ手段と、任意の指定文字列が入力される入力手段と、前記タイマ手段に設定されている前記時刻に自動発信され情報源から取得された情報を蓄積するデータ蓄積手段と、前記データ蓄積手段の蓄積情報内に前記指定文字列が含まれるか否かを検索する制御手段と、前記指定文字列を含む情報を自動印刷する印刷手段とを備えたことを特徴とする。
【０００９】
この構成により、ユーザが必要とする情報が自動印刷されるため、自動アクセスして取得された情報量が膨大であっても、必要情報を見逃すことがなくなる。
【００１０】
【発明の実施の形態】
以下、本発明の実施の形態を図面を参照して説明する。
【００１１】
（第１の実施の形態）
図１は、本発明の第１の実施の形態に係る電話装置の構成ブロック図である。この電話装置１は、電話回線を通して図示しない情報源から文字情報や画像情報を含むデータを受信する受信部２と、受信部２が受信したデータを蓄積する受信データ蓄積部３と、受信データ蓄積部３に蓄積された情報を表示する表示部４と、電話回線への自動発信及び切断時間を設定するためのタイマ部５と、これらのタイマ部５、表示部４、受信データ蓄積部３を後述するように制御する制御部６と、制御部６に接続された入力手段７とを備える。
【００１２】
受信部２は、電話回線を介して情報源から送られてくるデータを受信し、このデータを受信データ蓄積部３に蓄積し、制御部３はこの蓄積データを表示部４に表示する。この表示部４は、受信データ蓄積部３の蓄積データが更新されない間つまり新しい受信データが電話回線から取り込まれるまでの間、繰り返し同じ情報を表示する。
【００１３】
タイマ部５には、予め制御部６に設定されている情報源に自動発信する時刻情報と、接続時間とが設定されている。入力手段７は、接続対象の情報源を指定する電話番号や検索文字列等を制御部６に入力するために用いられる。
【００１４】
図２は、図１に示す制御部６の動作手順を示すフローチャートである。タイマ部５に設定されている時刻になるとタイマ部５が起動し（ステップ１１）、局線を閉結して設定情報源への自動発信を行う（ステップ１２）。そして、タイマ部５内に設けられている閉結用タイマが起動し（ステップ１３）、局線を解放するまでの接続時間を監視する。
【００１５】
自動発信後、自動発信によって接続した情報源から情報を取得し（ステップ１４）、この取得情報を受信データ蓄積部３に蓄積する（ステップ１５）。閉結用タイマが設定接続時間をカウントアップするまでは情報取得（ステップ１４）と情報蓄積（ステップ１５）を繰り返す。
【００１６】
閉結用タイマが設定接続時間をカウントアップ（ステップ１６）したとき、制御部６は局線を解放し（ステップ１７）、情報源との接続を遮断する。その後、制御部６は、後述する取得情報の表示処理（ステップ１８）を行い、今回の動作を終了する。
【００１７】
図３は、図２に示す表示処理（ステップ１８）の詳細処理手順を示すフローチャートである。先ず、受信データ蓄積部３の蓄積データを情報単位毎（例えば、情報コンテンツ毎）に取り出す（ステップ２１）。そして、その情報中に、ユーザが予め入力手段７から入力し制御部６内に設定されている指定文字列が含まれるか否かを検索する（ステップ２２）。ユーザが、例えば環境汚染に関心があり指定文字列として「環境汚染」が設定されている場合には、情報中に「環境汚染」という文字列が入っているか否かが検索される。
【００１８】
次に、情報中に指定文字列が入っている場合にはその情報にラベル「Ａ」を付け（ステップ２３）、情報中に指定文字列が入っていない場合にはその情報にラベル「Ｂ」を付ける（ステップ２４）。そして、受信データ蓄積部３の蓄積データの全ての情報にラベル付けが終わったか否かを判定し（ステップ２５）、終わっていない場合には上記ステップ２１に戻り、終わっている場合には、情報のソートを行ってラベルＡの情報をラベルＢの情報より上位に置き（ステップ２６）、ラベルＡの情報を優先して表示し（ステップ２７）、この処理を終了する。
【００１９】
本実施の形態に係る電話装置では、自動受信した情報の中からユーザが関心を持つ情報を検索して優先表示するため、多量の情報中に必要情報が埋もれてしまうことがなくなる。
【００２０】
（第２の実施の形態）
図３は、本発明の第２の実施の形態に係る電話装置の構成ブロック図である。この実施の形態に係る電話装置１０は、第１の実施の形態の電話装置１に比べて、印字装置８が制御部６に接続されている点が異なる。この印字装置８は、電話装置１０に内蔵されるものでも、また、外部接続されるものでもよい。
【００２１】
本実施の形態に係る電話装置１０では、図２に示す処理手順に従って情報源から情報を取得し、表示部４への表示は、情報の取得順とする。しかし、情報を情報単位に取得する毎に図４に示す印刷処理を行う。
【００２２】
即ち、この印刷処理では、取得情報中の各文字列と上記のユーザ設定の指定文字列とを比較し（ステップ３１）、一致するか否かを判定する（ステップ３２）。一致する文字列が取得情報中に含まれない場合にはこの印刷処理を終了し、含まれる場合には印字装置８を起動し（ステップ３３）、その取得情報を印刷し（ステップ３４）、この印刷処理を終了する。
【００２３】
この実施の形態によれば、自動受信した情報の中にユーザが関心を持つ情報があれば、その情報は自動印刷されるため、多量の情報中に必要情報が埋もれてしまうことがなくなる。
【００２４】
【発明の効果】
本発明によれば、自動アクセスして取得した情報の中から必要情報が検索され優先表示されたり自動印刷されるため、ユーザが効率的に必要情報を手に入れることができる電話装置を提供することが可能となる。
【図面の簡単な説明】
【図１】本発明の第１の実施の形態に係る電話装置の構成ブロック図
【図２】本発明の第１の実施の形態に係る電話装置の処理手順を示すフローチャート
【図３】本発明の第１の実施の形態に係る電話装置における表示処理の詳細フローチャート
【図４】本発明の第２の実施の形態に係る電話装置の構成ブロック図
【図５】本発明の第２の実施の形態に係る電話装置における印刷処理手順を示すフローチャート
【符号の説明】
１、１０　電話装置
２　受信部
３　受信データ蓄積部
４　表示部
５　タイマ部
６　制御部
７　入力手段
８　印字装置
【図１】
2004096190.tif 000003
【図２】
2004096190.tif 000004
【図３】
2004096190.tif 000005
【図４】
2004096190.tif 000006
【図５】
2004096190.tif 000007